(57)【特許請求の範囲】
【請求項１】
文字データを格納している文字データ格納部と、
該文字データ格納部に格納されている文字データを入力された映像データを表示している監視映像内の文字多重領域に多重する文字多重部と、
上記監視映像内の文字多重領域を設定すると共に、映像データの時間的変化を示す動き量に基づき、上記監視映像内の文字多重領域における映像データの動き量を算出し、上記文字多重領域における映像データの動き量が所定の闘値より大きい場合に、映像データの動き量が、上記文字多重領域における映像データの動き量よりも小さい上記監視映像内の他の領域を文字多重領域として再設定する文字多重領域設定部とを備え、
上記文字多重領域設定部は、映像データの時間的変化を示す動き量が監視映像全体として均一となる場合には、文字多重領域の再設定を停止することを特徴とする文字多重装置。
【請求項２】
文字データを格納している文字データ格納部と、
該文字データ格納部に格納されている文字データを入力された映像データを表示している監視映像内の文字多重領域に多重する文字多重部と、
上記監視映像内の文字多重領域を設定すると共に、映像データの時間的変化を示す動き量に基づき、上記監視映像内の文字多重領域における映像データの動き量を算出し、上記文字多重領域における映像データの動き量が所定の闘値より大きい場合に、映像データの動き量が、上記文字多重領域における映像データの動き量よりも小さい上記監視映像内の他の領域を文字多重領域として再設定する文字多重領域設定部とを備え、
上記文字多重領域設定部は、文字多重領域の再設定をする際に、監視映像内の文字多重領域における映像データの動き量の算出を停止することを特徴とする文字多重装置。
【請求項３】
文字データを格納している文字データ格納部と、
該文字データ格納部に格納されている文字データを入力された映像データを表示している監視映像内の文字多重領域に多重する文字多重部と、
上記監視映像内の文字多重領域を設定すると共に、映像データの時間的変化を示す動き量に基づき、上記監視映像内の文字多重領域における映像データの動き量を算出し、上記文字多重領域における映像データの動き量が所定の闘値より大きい場合に、上記文字データ格納部に格納されている文字データの属性を変更するよう指示する文字多重領域設定部とを備えた文字多重装置。
【請求項４】
文字多重領域設定部は、映像データの時間的変化を示す動き量が監視映像全体として均一となる場合には、文字データの属性変更の指示を停止することを特徴とする請求項３記載の文字多重装置。
【請求項５】
文字多重領域設定部は、文字データの属性変更の指示をする際に、監視映像内の文字多重領域における映像データの動き量の算出を停止することを特徴とする請求項３記載の文字多重装置。
【発明の詳細な説明】
【技術分野】
【０００１】
この発明は、伝送業者が実施しているＭＰＥＧ（Moving Picture Experts Group）−２を使用した映像・音声伝送システムにおける文字多重装置に関するものである。
【背景技術】
【０００２】
文字多重装置の従来の技術として、例えば特許文献１では、監視カメラ番号等を示すための文字データと、文字位置情報を予め登録することで、テレビモニタの画面上の監視テレビカメラの映像中の被写体と表示文字との重複表示が発生しない文字発生装置が開示されている。
【０００３】
【特許文献１】特開２００３−０２９７３３号公報（段落０００９）
【発明の開示】
【発明が解決しようとする課題】
【０００４】
従来の文字多重装置は以上のように構成されているので、文字データと文字多重領域情報を登録した後で、例えば、河川監視において、監視映像内の文字多重領域で、河川氾濫等の動きが発生した場合に文字に隠れてしまい視認性が低下すると共に、視認性を向上させるために文字多重領域の移動を行うには、再度、ユーザが文字多重領域の変更等の指示を行う必要があるという課題があった。
【０００５】
この発明は上記のような課題を解決するためになされたもので、監視映像内の文字多重領域で映像の動きが発生した場合に、ユーザの指示を受けることなく自動的に視認性を向上させることができる文字多重装置を得ることを目的とする。
【課題を解決するための手段】
【０００６】
この発明に係る文字多重装置は、文字データを格納している文字データ格納部と、該文字データ格納部に格納されている文字データを入力された映像データを表示している監視映像内の文字多重領域に多重する文字多重部と、上記監視映像内の文字多重領域を設定すると共に、映像データの時間的変化を示す動き量に基づき、上記監視映像内の文字多重領域における映像データの動き量を算出し、上記文字多重領域における映像データの動き量が所定の闘値より大きい場合に、映像データの動き量が、上記文字多重領域における映像データの動き量よりも小さい上記監視映像内の他の領域を文字多重領域として再設定する文字多重領域設定部とを備え、上記文字多重領域設定部は、映像データの時間的変化を示す動き量が監視映像全体として均一となる場合には、文字多重領域の再設定を停止するものである。
【発明の効果】
【０００７】
この発明により、監視映像内の文字多重領域で映像の動きが発生した場合に、ユーザの指示を受けることなく自動的に視認性を向上させることができるという効果が得られる。
【発明を実施するための最良の形態】
【０００８】
実施の形態１．
図１はこの発明の実施の形態１による映像符号化機能を有する文字多重装置の構成を示すブロック図である。図１に示す映像符号化機能を有する文字多重装置１は、文字多重部１１、文字データ格納部１２、文字多重領域設定部１３、映像符号化部１４及び映像符号化部１４内の動き抽出部１５を備えている。
【０００９】
次に動作について説明する。
文字多重部１１は、文字データ格納部１２に格納されている文字データ１０２を、入力された映像データ１０１を表示している監視映像内の文字多重領域設定部１３により設定された文字多重領域１０４に多重して、文字データ１０２が多重された映像データ１０５を出力する。文字データ格納部１２はユーザにより入力された文字データ１０２を格納し、格納している文字データ１０２を文字多重部１１に出力する。
【００１０】
文字多重領域設定部１３は、ユーザにより入力された文字多重領域情報１０３により監視映像内の文字多重領域１０４を初期設定して文字多重部１１に出力すると共に、動き検出部１５により抽出された映像データ１０５の時間的変化を示す動き量１０６に基づき、監視映像内の文字多重領域１０４における映像データの動き量を算出し、算出した文字多重領域１０４における映像データの動き量と予め設定された閾値とを比較し、文字多重領域１０４における映像データの動き量が所定の闘値より大きい場合、つまり、文字多重領域１０４の映像に動きがあり、注目すべき文字多重領域１０４の映像の視認性が低下し、文字多重領域１０４を移動する必要があると判定した場合に、映像データの動き量が最小の監視映像内の他の領域を文字多重領域１０４として再設定して文字多重部１１に出力する。
【００１１】
一方、文字多重領域設定部１３は、監視映像内の文字多重領域１０４における映像データの動き量が閾値以下の場合、つまり、文字多重領域１０４の映像に動きがなく、文字多重領域１０４を移動する必要がないと判定した場合には、ユーザにより入力され初期設定された文字多重領域１０４のままとする。
【００１２】
映像符号化部１４は文字データ１０２が多重された映像データ１０５を符号化してＭＰＥＧ−２データ１０７を出力すると共に、内部の動き量抽出部１５により符号化で得られる映像データ１０５の時間的変化を示す動き量１０６を抽出する。
【００１３】
図２はこの発明の実施の形態１による映像符号化機能を有する文字多重装置における文字多重領域設定部１３の処理手順を示すフローチャートである。
ステップＳＴ１１において、文字多重領域設定部１３は、動き検出部１５により検出された映像データ１０５の時間的変化を示す動き量１０６に基づき、監視映像内の文字多重領域１０４における映像データの動き量を算出する。
【００１４】
ステップＳＴ１２において、文字多重領域設定部１３は、算出した監視映像内の文字多重領域１０４における映像データの動き量と予め設定された閾値とを比較し、監視映像内の文字多重領域１０４における映像データの動き量が閾値より小さい場合には、上記ステップＳＴ１１の処理に戻り、監視映像内の文字多重領域１０４における映像データの動き量が閾値より大きい場合には、ステップＳＴ１３の処理に移行する。
【００１５】
ステップＳＴ１３において、文字多重領域設定部１３は、文字多重領域１０４となり得る監視映像内の他の領域を複数抽出し、動き検出部１５により検出された映像データ１０５の動き量１０６に基づき、抽出した各領域における映像データの動き量を算出する。
【００１６】
図３は文字多重領域設定部１３が文字多重領域１０４となり得る監視映像内の他の領域を複数抽出する場合の説明図である。図３において、文字多重領域Ａはユーザにより初期設定された文字多重領域１０４であり、文字数等による文字多重領域Ａの幅Ｌにより、文字多重領域１０４となり得る監視映像内の他の領域が決定される。図３では、領域Ｂ及び領域Ｅは文字多重領域１０４となり得るが、領域Ｃ及び領域Ｄは文字多重領域１０４となり得ない。この場合、文字多重領域設定部１３は、文字多重領域１０４となり得る領域Ｂ及び領域Ｅを抽出し、動き検出部１５により検出された映像データ１０５の動き量１０６に基づき、抽出した領域Ｂ及び領域Ｅにおける映像データの動き量を算出する。
【００１７】
図２のステップＳＴ１４において、文字多重領域設定部１３は、映像データの動き量が最小の領域を選択し、文字多重領域１０４として再設定して文字多重部１１に出力する。図３の例では、映像データの動き量が最小の領域Ｂ又は領域Ｅが選択され、文字多重領域１０４として再設定される。文字多重部１１では、文字データ格納部１２に格納されている文字データ１０２を文字多重領域設定部１３により再設定された文字多重領域１０４に多重して、文字データ１０２が多重された映像データ１０５を出力するが、文字データ１０２は映像データの動き量が最小の領域に移動しているので、監視映像の視認性を向上することができる。
【００１８】
ここで、例えば、カメラがパーンした場合のように、映像データの動き量１０６が監視映像全体として均一となる場合には、文字多重領域設定部１３は、監視映像全体が動いていると判定し、文字多重領域の映像に動きがないものとして文字多重領域の再設定を停止する。
【００１９】
ステップＳＴ１５において、文字多重領域設定部１３は、文字多重領域の移動を映像の動きとして判定することを防ぐために、任意の時間、映像データの動き量の判定を停止するようにマスクをかける。このマスクの処理は任意の時間で解除する。即ち、上記ステップＳＴ１４の文字多重領域１０４の再設定のときのみ、上記ステップＳＴ１１の文字多重領域における映像データの動き量の算出を停止する。マスク処理が終了したら上記ステップＳＴ１１の処理をリスタートする。
【００２０】
図４は図２のステップＳＴ１５におけるマスク処理手順を示すフローチャートである。
ステップＳＴ２１において、文字多重領域設定部１３は映像データの動き量の判定を停止するようにマスクをかける。ステップＳＴ２２において、文字多重領域設定部１３は任意時間経過を待ち、ステップＳＴ２３において、文字多重領域設定部１３はマスク解除してリスタートする。以上の処理により、文字多重領域の移動が映像の動きとして判定することを防ぎ、監視映像内の文字多重領域で映像の動きが発生した場合にのみ、文字多重領域を移動することが可能となる。
【００２１】
以上のように、この実施の形態１によれば、文字多重領域設定部１３が、動き検出部１５により抽出された映像データ１０５の動き量１０６に基づき、監視映像内の文字多重領域１０４における映像データの動き量を算出し、算出した文字多重領域１０４における映像データの動き量が所定の闘値より大きい場合に、映像データの動き量が最小の監視映像内の他の領域を文字多重領域１０４として再設定することにより、監視映像内の文字多重領域で映像の動きが発生した場合に、ユーザが文字多重領域１０４を再設定することなく、自動的に視認性を向上させることができるという効果が得られる。
【００２２】
また、この実施の形態１によれば、文字多重領域設定部１３が、映像符号化部１４内の動き抽出部１５により抽出された符号化で得られる映像データ１０５の動き量１０６に基づき、文字多重領域１０４を再設定することにより、文字多重領域１０４の再設定のための専用の動き量抽出回路を設けることに比べて、回路規模を縮小することができるという効果が得られる。
【００２３】
実施の形態２．
図５はこの発明の実施の形態２による映像符号化機能を有する文字多重装置の構成を示すブロック図である。図５に示す映像符号化機能を有する文字多重装置１は、文字多重部１１、文字データ格納部２１、文字多重領域設定部２２、映像符号化部１４及び映像符号化部１４内の動き抽出部１５を備えている。
【００２４】
次に動作について説明する。
文字多重部１１は、文字データ格納部２１に格納されている文字データ１０２を、入力された映像データ１０１を表示している監視映像内の文字多重領域設定部２２により設定された文字多重領域１０４に多重して、文字データ１０２が多重された映像データ１０５を出力する。文字データ格納部２１はユーザにより入力された文字データ１０２をその属性と共に格納し、格納している文字データ１０２とその属性を文字多重部１１に出力すると共に、文字多重領域設定部２２からの文字属性変更指示１１１に基づき、格納している文字データ１０２の属性を変更して文字多重部１１に出力する。
【００２５】
文字多重領域設定部２２は、ユーザにより入力された文字多重領域情報１０３により監視映像内の文字多重領域１０４を設定して文字多重部１１に出力すると共に、動き検出部１５により抽出された映像データ１０５の時間的変化を示す動き量１０６に基づき、監視映像内の文字多重領域１０４における映像データの動き量を算出し、算出した文字多重領域１０４における映像データの動き量と予め設定された閾値とを比較し、文字多重領域１０４における映像データの動き量が所定の闘値より大きい場合、つまり、文字多重領域１０４の映像に動きがあり、注目すべき文字多重領域１０４の映像の視認性が低下し、文字多重領域１０４の文字データ１０２の属性を変更する必要があると判定した場合に、文字データ格納部２１に格納されている文字データ１０２の属性を変更させるための文字属性変更指示１１１を文字データ格納部２１に出力する。このとき、文字多重領域設定部２２は、例えば、注目すべき文字多重領域１０４の映像の視認性を向上させるために、文字を半透明にするよう文字属性変更指示１１１を文字データ格納部２１に出力する。
【００２６】
一方、文字多重領域設定部２２は、監視映像内の文字多重領域１０４における映像データの動き量が閾値以下の場合、つまり、文字多重領域１０４の映像に動きがなく、文字データ１０２の属性を変更する必要がないと判定した場合には、文字属性変更指示１１１を文字データ格納部２１に出力しない。即ち、文字データ１０２の属性はユーザにより初期設定されたままとなる。
【００２７】
映像符号化部１４は文字データ１０２が多重された映像データ１０５を符号化してＭＰＥＧ−２データ１０７を出力すると共に、内部の動き量抽出部１５により符号化で得られる映像データ１０５の時間的変化を示す動き量１０６を抽出する。
【００２８】
図６はこの発明の実施の形態２による映像符号化機能を有する文字多重装置における文字多重領域設定部２２の処理手順を示すフローチャートである。
ステップＳＴ３１の処理は上記実施の形態１の図２のステップＳＴ１１の処理と同じであり、ステップＳＴ３２の処理は図２のステップＳＴ１２の処理と同じである。
【００２９】
ステップＳＴ３３において、文字多重領域設定部２２は、文字データ格納部２１に格納されている文字データ１０２の属性を変更させるための文字属性変更指示１１１を文字データ格納部２１に出力する。文字データ格納部２１は、文字多重領域設定部２２からの文字属性変更指示１１１に基づき、文字データ１０２の属性を変更して文字多重部１１に出力し、文字多重部１１では、属性が変更された文字データ１０２を文字多重領域設定部２２により設定されている文字多重領域１０４に多重して、文字データ１０２が多重された映像データ１０５を出力するが、文字データ１０２は属性が変更されて、文字多重領域１０４内の文字は、例えば半透明に表示されるので、監視映像の視認性を向上することができる。
【００３０】
ここで、例えば、カメラがパーンした場合のように、映像データの動き量１０６が監視映像全体として均一となる場合には、文字多重領域設定部２２は、監視映像全体が動いていると判定し、文字多重領域１０４の映像に動きがないものとして文字属性変更指示１１１の出力を停止する。
【００３１】
ステップＳＴ３４において、文字多重領域設定部２２は、文字データ１０２の属性変更を映像の動きとして判定することを防ぐために、任意の時間、映像データの動き量の判定を停止するようにマスクをかける。このマスクの処理は任意の時間で解除する。即ち、上記ステップＳＴ３３の文字データ１０２の属性変更のときのみ、上記ステップＳＴ３１の文字多重領域における映像データの動き量の算出を停止する。マスク処理が終了したら上記ステップＳＴ３１の処理をリスタートする。このステップＳＴ３４の処理は上記実施の形態１の図４と同じである。
【００３２】
以上のように、この実施の形態２によれば、文字多重領域設定部２２が、動き検出部１５により抽出された映像データ１０５の動き量１０６に基づき、監視映像内の文字多重領域１０４における映像データの動き量を算出し、算出した文字多重領域１０４における映像データの動き量が所定の闘値より大きい場合に、文字多重領域１０４の文字データ１０２の属性を変更するよう指示することにより、監視映像内の文字多重領域１０４で映像の動きが発生した場合に、ユーザが文字データ１０２の属性を再設定することなく、自動的に視認性を向上させることができるという効果が得られる。
【００３３】
また、この実施の形態２によれば、文字多重領域設定部２２が、映像符号化部１４内の動き抽出部１５により抽出された符号化で得られる映像データ１０５の動き量１０６に基づき、文字データ１０２の属性を変更するよう指示することにより、文字データ１０２の属性変更のための専用の動き量抽出回路を設けることに比べて、回路規模を縮小することができるという効果が得られる。
【図面の簡単な説明】
【００３４】
【図１】この発明の実施の形態１による映像符号化機能を有する文字多重装置の構成を示すブロック図である。
【図２】この発明の実施の形態１による映像符号化機能を有する文字多重装置における文字多重領域設定部の処理手順を示すフローチャートである。
【図３】この発明の実施の形態１による映像符号化機能を有する文字多重装置における文字多重領域設定部が文字多重領域となり得る監視映像内の他の領域を複数抽出する場合の説明図である。
【図４】この発明の実施の形態１による映像符号化機能を有する文字多重装置における文字多重領域設定部のマスク処理手順を示すフローチャートである。
【図５】この発明の実施の形態２による映像符号化機能を有する文字多重装置の構成を示すブロック図である。
【図６】この発明の実施の形態２による映像符号化機能を有する文字多重装置における文字多重領域設定部の処理手順を示すフローチャートである。
【符号の説明】
【００３５】
１  文字多重装置、１１  文字多重部、１２  文字データ格納部、１３  文字多重領域設定部、１４  映像符号化部、１５  動き抽出部、２１  文字データ格納部、２２  文字多重領域設定部、１０１  映像データ、１０２  文字データ、１０３  文字多重領域情報、１０４  文字多重領域、１０５  文字データが多重された映像データ、１０６  動き量、１０７  ＭＰＥＧ−２データ、１１１  文字属性変更指示。
【図１】
0004680014.tif 000002
【図２】
0004680014.tif 000003
【図３】
0004680014.tif 000004
【図４】
0004680014.tif 000005
【図５】
0004680014.tif 000006
【図６】
0004680014.tif 000007